(57)【要約】【課題】コンクリート階段ブロックの踏み面と蹴上げの間に隙間を形成しないようにして目地作業を行う必要がなく、かつボルトにより容易に製作できるコンクリート階段を提供する。【解決手段】踏み面２ａを形成した踏み板２と、踏み面２ａから上方に連続して蹴上げ３ａを形成した蹴上げ板とが一体に造型された縦断面Ｌ形のコンクリート階段ブロック１が縦断面Ｌ形のブロック固定部材９の垂直部にボルト６で固定されるとともに、ブロック固定部材９の水平部がささら桁８のブロック載せ材１１にボルト１０により固定され、ブロック載せ材１１の水平部にコンクリート階段ブロック１のレベルを調整するレベル調整ボルト１２を上下動自在に螺合させたコンクリート階段。【選択図】  図１
2004360392.tif 000002
【特許請求の範囲】
【請求項１】
踏み面を形成した踏み板と、踏み面から上方に連続して蹴上げを形成した蹴上げ板とが一体にコンクリートで造型された縦断面Ｌ形のコンクリート階段ブロックが縦断面Ｌ形のブロック固定部材の垂直部にボルトで固定されるとともに、前記Ｌ形のブロック固定部材の水平部がささら桁のブロック載せ材にボルトにより固定されていることを特徴とするコンクリート階段。
【請求項２】
前記ブロック載せ材の水平部にコンクリート階段ブロックのレベルを調整するレベル調整ボルトが上下動自在に螺合されていることを特徴とする請求項１記載のコンクリート階段。
【発明の詳細な説明】
【０００１】
【発明の属する技術分野】
本発明は、踏み面から蹴上げが連続して一体に造型された縦断面Ｌ形のコンクリート階段ブロックをささら桁のブロック載せ材に載せてボルトで固定して形成したコンクリート階段に関する。
【０００２】
【従来の技術】
プレキャストコンクリートにより製造した踏み面と蹴上げを形成したＬ形のコンクリート階段ブロックを傾斜したＨ形鋼のささら桁に固定した階段が知られている（特許文献１参照）。
【０００３】
図４は従来のコンクリート階段ブロックを利用した階段の一例を示す図である。図４において、踏み面２ａを形成した踏み板２と、踏み板２の裏面から下方に向けて蹴上げ３ａを形成した蹴上げ板３を備え、それらの内部にＰＣ鋼棒の縦筋４と横筋５を配置したＬ形のコンクリート階段ブロック１４が造型される。造型の際にコンクリート階段ブロック１４のささら桁８に固定する側に溶接ピース１５が溶接部分を露出させて埋め込まれる。
【０００４】
ささら桁８にはコンクリート階段ブロック１の踏み板２の幅に合わせた間隔をおいてブロック載せ材１１が溶接により固定されている。このブロック載せ材１１の上にコンクリート階段ブロック１４に設けられた溶接ピース１５を載せ、ブロック載せ材１１と溶接ピース１５を溶接して固定する。こうしてささら桁１８に固定されたコンクリート階段ブロック１の踏み面２ａに次段のコンクリート階段ブロック１の蹴上げ板３を載せるとともに、溶接ピース１５をブロック載せ材１１に載せて溶接する。前段の踏み板２とこれに載せた後段の蹴上げ板３の隙間１６は、モルタル目地１７で埋める。以上の手順によりコンクリート階段ブロックをささら桁に固定しながらコンクリート階段を形成する。
【０００５】
【特許文献１】
特開平７−２１７１３６号公報
【０００６】
【発明が解決しようとする課題】
従来のコンクリート階段は、踏み面と蹴上げの境目に隙間ができるため、隙間にモルタル目地を施す余分の作業が必要であり、また、モルタル目地部分に埃塵が溜まりやすく、さらにモルタル目地の破れ部分から水などが浸入し、階段の裏面が汚れるなどの不都合があった。
【０００７】
また、前記従来のコンクリート階段では、コンクリート階段ブロックの溶接ピースとささら桁のブロック載せ材を溶接する作業があるので、そのために溶接装置を準備したり、溶接部を清浄にしたりする準備作業に手間がかかっていた。また溶接ピースとブロック載せ材の溶接による固定のため、コンクリート階段ブロックのレベル合わせが精確にできない場合があった。
【０００８】
そこで、本発明は、コンクリート階段ブロックの踏み面と蹴上げの間に隙間を形成しないようにして目地作業を行う必要がなく、かつボルトにより容易に製作できるコンクリート階段を提供するものである。
【０００９】
【課題を解決するための手段】
本発明のコンクリート階段は、踏み面を形成した踏み板と、踏み面から上方に連続して蹴上げを形成した蹴上げ板とが一体に造型された縦断面Ｌ形のコンクリート階段ブロックが縦断面Ｌ形のブロック固定部材の垂直部にボルトで固定されるとともに、前記Ｌ形のブロック固定部材の水平部がささら桁のブロック載せ材にボルトにより固定されていることを特徴とする。
【００１０】
前記構成において、前記ブロック載せ材の水平部にコンクリート階段ブロックのレベルを調整するレベル調整ボルトを上下動自在に螺合させてもよい。
【００１１】
【発明の実施の形態】
図１は本発明のコンクリート階段の側面図、図２はブロック載せ材とコンクリート階段ブロックの固定部分の正面図、図３は同平面図である。本発明において、コンクリート階段ブロック１は、踏み面２ａを形成した踏み板２と、踏み板２から上方に向けて蹴上げ３ａを形成した蹴上げ板３とを一体に造型した縦断面Ｌ形のコンクリート階段ブロックよりなる。この形状により踏み面と蹴上げが連続しているため、踏み面と蹴上げの境界に隙間が形成されることはないので、モルタル目地を必要とせず、また浸水のおそれもない。なお、コンクリート階段ブロック１内には、公知のそれと同様にＰＣ鋼棒の縦筋４と横筋５からなる補強筋が配置される。
【００１２】
コンクリート階段ブロック１の造型時に蹴上げ板３の外側から踏み板２に向かって平行にボルト６を挿入するボルト挿入筒７が埋め込まれる。ボルト挿入筒７は、コンクリート階段ブロック１の造型時に型に配置することにより容易に埋め込むことが可能である。ボルト挿入筒７の中空部内周にはボルト６のネジと螺合させる螺旋ネジが形成されている。
【００１３】
コンクリート階段ブロック１は、縦断面Ｌ形のブロック固定部材９を介してボルト６及びボルト１０がそれぞれコンクリート階段ブロック１およびささら桁８のブロック載せ材１１に螺合して固定される。
【００１４】
Ｌ形のブロック載せ材１１は、コンクリート階段ブロック１の踏み面２ａの奥行きに合わせた間隔をおいてささら桁８に溶接により固定されている。ブロック載せ材１１の水平部にはレベル調整ボルト１２が上下動自在に螺合され、コンクリート階段ブロック１を押し上げてコンクリート階段ブロック１のレベルを調整できるようになっている。さらにブロック載せ材１１の水平部にはＬ形のブロック固定部材９を固定するためのボルト１０が挿通されるボルト孔が形成されている。
【００１５】
Ｌ形のブロック固定部材９の水平部には、ボルト１０を挿通する長孔９ａが形成され、ボルト１０は座金１３を介して長孔９ａとブロック載せ材１１の水平部のボルト孔に挿通されてナットにより締め付けられてブロック固定部材９がブロック載せ材１１に固定される。ブロック固定部材９の水平部に長孔９ａを形成することによりブロック固定部材９の位置を調整することができる。
【００１６】
さらにＬ形のブロック固定部材９の垂直部には、ボルト６を挿通する長孔９ｂが形成され、ボルト６は座金１３を介して長孔９ｂとコンクリート階段ブロックのボルト挿入筒７に挿通されて締め付けられてコンクリート階段ブロック１がブロック固定部材９に固定される。ブロック固定部材９の垂直部に長孔９ｂを形成することによりコンクリート階段ブロック１のレベルに対応させてボルト６を締め付けることができる。
【００１７】
次ぎに本発明のコンクリート階段の組み立て手順について説明する。コンクリート階段ブロック１の踏み板２の端を前段のコンクリート階段ブロック１の蹴上げ板３の上面に支持するとともに、蹴上げ板３の底面をささら桁８に固定されたブロック載せ材１１の水平部に載せる。
【００１８】
次いで、ブロック載せ材１１の水平部のレベル調整ボルト１２を上下動させて、コンクリート階段ブロック１を押し上げてレベルを調整する。
【００１９】
コンクリート階段ブロック１のレベル調整が完了すると、ブロック固定部材９の垂直部をコンクリート階段ブロック１に接触させた後、ボルト６を座金１３を介して長孔９ｂに挿通させてコンクリート階段ブロック１のボルト挿入筒７に螺合させて締め付けるとともに、ボルト１０を座金１３を介してブロック固定部材９の水平部の長孔９ａとブロック載せ材１１のネジ孔に挿通して締め付けてブロック固定部材９を固定する。
【００２０】
以上の手順を繰り返すことによりコンクリート階段を組み立てる。
【００２１】
【発明の効果】
本発明は、コンクリート階段ブロックの踏み面と蹴上げを連続させて踏み面と蹴上げに隙間を形成しないので、モルタル目地を必要とせず、また浸水のおそれもない。
【００２２】
また、レベル調整ボルトの上下動によりコンクリート階段ブロックのレベルを容易に精度よく調整することができる。
【００２３】
また、ボルトの締め付けによりコンクリート階段ブロックを固定するので、従来の溶接による施行に比べて手間が省ける。
【図面の簡単な説明】
【図１】本発明のコンクリート階段の側面図である。
【図２】ブロック載せ材とコンクリート階段ブロックの固定部分の正面図である。
【図３】ブロック載せ材とコンクリート階段ブロックの固定部分の平面図である。
【図４】従来のコンクリート階段ブロックを利用した階段の一例を示す図である。
【符号の説明】
１：コンクリート階段ブロック
２：踏み板
２ａ：踏み面
３：蹴上げ板
３ａ：蹴上げ
４：縦筋
５：横筋
６：ボルト
７：ボルト挿入筒
８：ささら桁
９：ブロック固定部材
９ａ，９ｂ：長孔
１０：ボルト
１１：ブロック載せ材
１２：レベル調整ボルト
１３：座金
１４：コンクリート階段ブロック
１５：溶接ピース
１６：隙間
１７：モルタル目地
【図１】
2004360392.tif 000003
【図２】
2004360392.tif 000004
【図３】
2004360392.tif 000005
【図４】
2004360392.tif 000006